【手続補正書】
【提出日】平成17年4月28日(2005.4.28)
【手続補正１】
【補正対象書類名】明細書
【補正対象項目名】０００９
【補正方法】変更
【補正の内容】
【０００９】
【課題を解決するための手段】
本発明では、上記のような課題を解決するために、通話相手から送信されてくる画像を、実際に通話相手のいる方向に合わせて画面に表示する。また、相手の向いている方向も示す。これにより、テレビ電話がより臨場感あふれるものとなる。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００７６
【補正方法】変更
【補正の内容】
【００７６】
なお、上記実施形態では、移動端末を説明したが、自己端末の所在位置の測定データから位置情報を取得する自己位置情報取得機能と、自己端末の向いている方向の測定データから方位情報を取得する自己方位情報取得機能と、通話相手端末を識別する相手識別機能と、通話相手端末へ自己端末の位置情報及び方位情報を送信する自己端末情報送信機能と、通話相手端末の位置情報及び方位情報を受信する相手端末情報取得機能と、受信した通話相手端末の位置情報と自己端末の位置情報とを用いて、通話相手端末の所在位置の方位を算出して相手位置方位情報を取得する相手位置方位情報取得機能と、自己端末の向いている方位と、通話相手端末の所在位置の方位と、該通話相手端末の向いている方位とを表示する方位相手位置表示機能とをコンピュータに実現させるプログラムからなる移動端末用コンピュータ・ソフトウエアを使用することにより、従来の移動端末を本発明の移動端末とすることができる。また、本発明の他の実施形態１の移動端末は、例えば具体的には、ユーザの顔や風景を撮影する撮像手段と、移動端末の所在位置を測定する位置情報取得手段と、移動端末の（表示部の先端）向いている方向を測定する方位情報取得手段と、通話相手の移動端末の位置情報と方位情報を取得する手段と、通話相手の位置情報と自己の位置情報および方位情報を用いて、自己の移動端末の向きに対する通話相手の所在する方向を決定する相対位置決定手段と、通話相手の方位情報と自己の方位情報を用いて、自己の移動端末の向きに対する通話相手の向いている方向を決定する相対方位決定手段と、通話相手の移動端末の撮像部が映す映像を自己の移動端末の表示部に表示する位置を該両端末の相対位置に従って決定する映像表示位置決定手段と、通話相手の移動端末が向いている方向を示す矢印を表示する位置および傾きを決定する矢印表示位置決定手段と、上記映像と上記矢印を表示する表示手段とを、具備した構成をとる。本発明の他の実施形態２は、自己端末の所在位置を測定して位置情報を取得する自己位置情報取得手段と、自己端末の向いている方向を測定して方位情報を取得する自己方位情報取得手段と、通話相手端末を識別する相手識別手段と、通話相手端末へ自己端末の位置情報及び方位情報を送信する自己端末情報送信手段と、通話相手端末の位置情報及び方位情報を受信する相手端末情報取得手段と、受信した通話相手端末の位置情報と自己端末の位置情報とを用いて、通話相手端末の所在位置の方位を算出して相手位置方位情報を取得する相手位置方位情報取得手段と、自己端末の向いている方位と、通話相手端末の所在位置の方位と、該通話相手端末の向いている方位とを表示する方位相手位置表示手段とを備える移動端末である。本発明の他の実施形態３は、上記方位相手位置表示手段は、通話相手端末の所在位置の方位として、該所在位置を示すマークを、円周上の該当方位個所に表示する移動端末である。そして、本発明の他の実施形態４は、受信した通話相手端末の位置情報と自己端末の位置情報とを用いて、自己端末と通話相手端末との距離を算出して相手距離情報を取得する相手距離情報取得手段を備えており、上記方位相手位置表示手段は、前記相手距離情報に応じて通話相手端末の所在位置を示すマークの大きさを変更して表示する移動端末である。更に、本発明の他の実施形態５は、上記自己端末情報送信手段は、予め定められた時間間隔を経て、自己位置情報取得手段が再度取得した位置情報及び自己方位情報取得手段が再度取得した方位情報を通話相手端末へ送信する移動端末である。また、本発明の他の実施形態６は、上記自己端末情報送信手段は、操作キーの操作を受けて通話相手端末へ送信する移動端末である。そして、本発明の他の実施形態７は、通話相手を識別する通話相手識別子、該通話相手識別子を表示する位置及び該通話相手識別子の大きさの対応関係を格納した表示位置記録手段を備える移動端末である。更に、本発明の他の実施形態８は、複数人の通話相手端末の全ての通話相手識別子が重ならずに表示できるように、通話相手の所在位置を示すマークの表示位置を調節する表示位置調節手段を備える移動端末である。また、本発明の他の実施形態９は、自己端末が向いている方位、通話相手端末の所在位置の方位及び該通話相手端末の向いている方位を基に、自己端末と通話相手端末とが向き合っているかを判断する判断手段を備え、該判断手段が向き合っていると判断したとき、上記方位相手位置表示手段は、通話相手端末の所在位置を示すマークを変更して表示する移動端末である。通話相手端末の所在位置を示すマークの変更は、マークの大きさ、色、奥行きの変化や撮像した映像を平面的又は立体的に傾けた表示とする等により行うことができ、また、方位を示す矢印の長さ、太さ、色等の変更とすることもできる。そして、本発明の他の実施形態１０は、複数の通話相手端末の所在位置の方位及び該通話相手端末の向いている方位を基に、複数の通話相手端末が互いに向き合っているかを判断する判断手段を備え、該判断手段が互いに向き合っていると判断したとき、上記方位相手位置表示手段は、該複数の通話相手端末の所在位置を示すマークを変更して表示する移動端末である。更に、本発明の他の実施形態１１は、自己端末の所在位置の測定データから位置情報を取得する自己位置情報取得機能と、自己端末の向いている方向の測定データから方位情報を取得する自己方位情報取得機能と、通話相手端末を識別する相手識別機能と、通話相手端末へ自己端末の位置情報及び方位情報を送信する自己端末情報送信機能と、通話相手端末の位置情報及び方位情報を受信する相手端末情報取得機能と、受信した通話相手端末の位置情報と自己端末の位置情報とを用いて、通話相手端末の所在位置の方位を算出して相手位置方位情報を取得する相手位置方位情報取得機能と、自己端末の向いている方位と、通話相手端末の所在位置の方位と、該通話相手端末の向いている方位とを表示する方位相手位置表示機能とをコンピュータに実現させるプログラムからなる移動端末用コンピュータ・ソフトウエアである。本発明の他の実施形態によれば、通話相手の映像を通話相手のいる方向に表示することができ、臨場感のある通話を楽しめることができる。また、相手の向いている方向も示すことで、三者通話のように複数人で通話する場合に、誰が誰に話しかけているのかがはっきりわかるため、臨場感のあるスムーズな会話が可能とする移動端末を得ることができる。
【手続補正１５】
【補正対象書類名】明細書
【補正対象項目名】００７７
【補正方法】変更
【補正の内容】
【００７７】
【発明の効果】
本発明によれば、臨場感のある通話を行うことが可能な移動端末を提供することができる。